(57)【特許請求の範囲】
【請求項１】
ケーブルを巻回保持するケーブルドラムにおいて、
互いに間隔をおいて一方向に対向する第１巻回保持部及び第２巻回保持部であって、夫々が、前記一方向の外側に凸で、かつ、高さ方向の下方位置からその下方位置よりも高い上方位置まで湾曲するケーブル巻回面を有する前記第１巻回保持部及び前記第２巻回保持部と、
前記第１巻回保持部側の前記上方位置から前記第２巻回保持部側の前記上方位置まで前記ケーブルの略直線形状での延在を可能にすると共に、前記第１巻回保持部側の前記下方位置から前記第２巻回保持部側の前記下方位置まで前記ケーブルの略直線形状での延在を可能にし、かつ、前記第１巻回保持部と前記第２巻回保持部とを連結する連結部と、
を備え、
前記連結部は、前記一方向の長さが変更可能であり、
前記連結部は、前記第１巻回保持部の側面から前記第２巻回保持部側に略前記一方向に延在する第１延在板と、前記第２巻回保持部の側面から前記第１巻回保持部側に略前記一方向に延在する第２延在板と、前記第１延在板と前記第２延在板が固定されるブロック状部材とを有し、
前記第１延在板及び前記第２延在板の夫々は、前記一方向に互いに間隔をおいて設けられた複数の貫通孔を有し、
前記第１延在板の前記貫通孔に挿通された第１締結部材により前記第１延在板が前記ブロック状部材に固定され、前記第２延在板の前記貫通孔に挿通された第２締結部材により前記第２延在板が前記ブロック状部材に固定されている、ケーブルドラム。
【請求項２】
ケーブルを巻回保持するケーブルドラムにおいて、
互いに間隔をおいて一方向に対向する第１巻回保持部及び第２巻回保持部であって、夫々が、前記一方向の外側に凸で、かつ、高さ方向の下方位置からその下方位置よりも高い上方位置まで湾曲するケーブル巻回面を有する前記第１巻回保持部及び前記第２巻回保持部と、
前記第１巻回保持部側の前記上方位置から前記第２巻回保持部側の前記上方位置まで前記ケーブルの略直線形状での延在を可能にすると共に、前記第１巻回保持部側の前記下方位置から前記第２巻回保持部側の前記下方位置まで前記ケーブルの略直線形状での延在を可能にし、かつ、前記第１巻回保持部と前記第２巻回保持部とを連結する連結部と、
を備え、
前記連結部が回転自在に取り付けられる軸部材を備え、
前記軸部材は、該軸部材が載置面より上方に位置した状態で前記軸部材を支持する支持台が取付可能であり、
前記軸部材に前記支持台が取り付けられた状態で、前記第１巻回保持部、前記第２巻回保持部及び前記連結部からなるドラム本体が前記軸部材を回転中心として回動可能であり、
前記第１巻回保持部及び前記第２巻回保持部の夫々は、前記ケーブル巻回面の幅方向の両側に前記ケーブル巻回面に巻回された前記ケーブルの前記幅方向の動きを規制する一対の第１側方部及び第２側方部を有し、
前記第１側方部及び前記第２側方部には、前記ケーブル巻回面の周方向に互いに間隔をおいて配置されると共に、前記ケーブル巻回面の略径方向に突出する複数のアームが取付可能である、ケーブルドラム。
【請求項３】
請求項２に記載のケーブルドラムにおいて、
前記支持台は、高さが変更可能であるケーブルドラム。
【請求項４】
請求項１から３までのいずれか１つに記載のケーブルドラムにケーブルを巻回するケーブル巻回ステップと、
前記ケーブルが巻回された前記ケーブルドラムであるケーブル巻回済ドラムを、建造物のハッチを通過させて前記建造物の内部スペースに進入させるドラム進入ステップと、
前記ドラム進入ステップの後、前記ケーブル巻回済ドラムを前記内部スペース内に設けられたエレベータのカゴの底面部から吊り下げるドラム吊下ステップと、
前記ドラム吊下ステップの後、前記カゴを昇降路内を下側に移動させて、前記ケーブル巻回済ドラムを前記昇降路の下側にあるピットまで移動させるドラム移動ステップと、
を含むケーブルの搬送方法。
【発明の詳細な説明】
【技術分野】
【０００１】
本発明は、ケーブルを巻回保持するためのケーブルドラムおよびケーブルドラムを利用するケーブルの搬送方法に関する。
【背景技術】
【０００２】
橋脚で高所にある機器等をメンテナンスするために使用されるエレベータでは、制御盤が昇降路下側にあるピットに設置されることが多い。また、そのようなエレベータでは、カゴ内の操作部と制御盤との間を接続するケーブルが長くなることが多い。そのような場合、ケーブルは、ケーブルドラムに巻回保持された状態で橋脚外部から橋脚内スペースに設けられた昇降路下側のピットまで搬送される。なお、特許文献１には、ケーブルを巻回保持するケーブルドラムであって円筒形状の巻芯部を有するものが示されている。
【先行技術文献】
【特許文献】
【０００３】
【特許文献１】特開平７−２２８４２９号公報
【発明の概要】
【発明が解決しようとする課題】
【０００４】
ケーブルを巻回済のケーブルドラムを橋脚外部から橋脚内スペースに搬送する際、該ケーブル巻回済ドラムを橋脚外部から橋脚内スペースに出入りするためのハッチ（出入口）を通過させる必要がある。
しかし、橋脚によってはハッチの高さが低く、ケーブル巻回済ドラムの高さがハッチの高さを上回って、ケーブル巻回済ドラムがハッチを通過できないことがある。
【０００５】
本発明の目的は、ケーブル巻回状態で建造物のハッチを通過し易いケーブルドラムを提供することにある。また、本発明の目的は、ケーブルを建造物の外部から建造物に設けられたエレベータの昇降路下方のピットまで搬送し易いケーブルの搬送方法を提供することにある。
【課題を解決するための手段】
【０００６】
本発明の一態様であるケーブルドラムは、ケーブルを巻回保持するケーブルドラムにおいて、互いに間隔をおいて一方向に対向する第１巻回保持部及び第２巻回保持部であって、夫々が、前記一方向の外側に凸で、かつ、高さ方向の下方位置からその下方位置よりも高い上方位置まで湾曲するケーブル巻回面を有する前記第１巻回保持部及び前記第２巻回保持部と、前記第１巻回保持部側の前記上方位置から前記第２巻回保持部側の前記上方位置まで前記ケーブルの略直線形状での延在を可能にすると共に、前記第１巻回保持部側の前記下方位置から前記第２巻回保持部側の前記下方位置まで前記ケーブルの略直線形状での延在を可能にし、かつ、前記第１巻回保持部と前記第２巻回保持部とを連結する連結部と、を備え、前記連結部は、前記一方向の長さが変更可能であり、前記連結部は、前記第１巻回保持部の側面から前記第２巻回保持部側に略前記一方向に延在する第１延在板と、前記第２巻回保持部の側面から前記第１巻回保持部側に略前記一方向に延在する第２延在板と、前記第１延在板と前記第２延在板が固定されるブロック状部材とを有し、前記第１延在板及び前記第２延在板の夫々は、前記一方向に互いに間隔をおいて設けられた複数の貫通孔を有し、前記第１延在板の前記貫通孔に挿通された第１締結部材により前記第１延在板が前記ブロック状部材に固定され、前記第２延在板の前記貫通孔に挿通された第２締結部材により前記第２延在板が前記ブロック状部材に固定されている。
【０００７】
本発明によれば、連結部によってケーブルが一方向に離間されて対向する第１巻回保持部と第２巻回保持部との間を略直線形状で延在することが可能になる。したがって、ケーブルの全てが円筒面の巻回保持部に巻回される場合と比較して、第１及び第２巻回保持部で巻回保持するケーブル部分を、ケーブルにおいて略直線状に延在している部分だけ短くできる。よって、巻回保持部に巻回されるケーブルの高さを低くできるから、ケーブルが巻回保持されたケーブルドラム（以下、ケーブル巻回済ドラムという）の高さも低くできる。その結果、建造物のハッチの高さが低い場合であっても、ケーブル巻回済ドラムがハッチを通過し易くなる。
【０００９】
また、連結部の一方向の長さを適宜変更させることによって、略直線状に延在するケーブル部分の長さを適宜調整できる。よって、ケーブル巻回済ドラムの高さを適宜調整できるので、ケーブル巻回済ドラムがハッチを更に通過し易くなる。
【００１１】
また、第１締結部材を挿通させる第１延在板の貫通孔と、第２締結部材を挿通させる第２延在板の貫通孔とのうちの少なくとも一方を変えるだけで、連結部の一方向の長さを変えることができる。よって、一方向に伸縮可能な連結部を簡易な構成で実現できる。
【００１２】
また、本発明の他の態様のケーブルドラムは、ケーブルを巻回保持するケーブルドラムにおいて、互いに間隔をおいて一方向に対向する第１巻回保持部及び第２巻回保持部であって、夫々が、前記一方向の外側に凸で、かつ、高さ方向の下方位置からその下方位置よりも高い上方位置まで湾曲するケーブル巻回面を有する前記第１巻回保持部及び前記第２巻回保持部と、前記第１巻回保持部側の前記上方位置から前記第２巻回保持部側の前記上方位置まで前記ケーブルの略直線形状での延在を可能にすると共に、前記第１巻回保持部側の前記下方位置から前記第２巻回保持部側の前記下方位置まで前記ケーブルの略直線形状での延在を可能にし、かつ、前記第１巻回保持部と前記第２巻回保持部とを連結する連結部と、を備え、前記連結部が回転自在に取り付けられる軸部材を備え、前記軸部材は、該軸部材が載置面より上方に位置した状態で前記軸部材を支持する支持台が取付可能であり、前記軸部材に前記支持台が取り付けられた状態で、前記第１巻回保持部、前記第２巻回保持部及び前記連結部からなるドラム本体が前記軸部材を回転中心として回動可能であり、前記第１巻回保持部及び前記第２巻回保持部の夫々は、前記ケーブル巻回面の幅方向の両側に前記ケーブル巻回面に巻回された前記ケーブルの前記幅方向の動きを規制する一対の第１側方部及び第２側方部を有し、前記第１側方部及び前記第２側方部には、前記ケーブル巻回面の周方向に互いに間隔をおいて配置されると共に、前記ケーブル巻回面の略径方向に突出する複数のアームが取付可能である。
【００１３】
本発明によれば、支持台への軸部材の取り付けによって、ドラム本体を、軸部材を回転中心として回動させることができる。よって、当該ドラム本体の回転でケーブルドラムにケーブルを容易に巻回できる。
【００１４】
なお、本発明において、前記支持台は、高さが変更可能であってもよい。
【００１５】
この場合、支持台の高さが変更可能であるので、支持台を異なる仕様のケーブルドラムに使用できて、支持台の汎用性が向上する。
【００１７】
また、本発明によれば、各巻回保持部の各側方部に、ケーブル巻回面の周方向に互いに間隔をおいて配置されると共に、ケーブル巻回面の略径方向に突出する複数のアームを取り付けできる。したがって、ケーブル巻回面の両側に設けられた複数のアームで側方部よりも径方向の外方側に位置するケーブルを挟み込んで支えることができるので、側方部よりも径方向の外方側にもケーブルを巻回でき、巻回可能なケーブルの長さを長くできる。よって、ケーブルの長さが非常に長くて、建造物のハッチの高さ上の制限からケーブルを２つのケーブルドラムに分配してハッチを通過させなければならない場合であっても、２つのケーブルドラムのハッチの通過後に全てのケーブルを一方のケーブルドラムのみに巻き直すことができる。その結果、ケーブルが２つのケーブルドラムに巻回されている状態では外部に露出していないケーブルの両端部のうちの一方を外部に露出させることができ、例えば、この端部をエレベータのカゴの所定の箇所に接続できる。
【００１８】
また、本発明の別の態様であるケーブルの搬送方法は、本発明のケーブルドラムにケーブルを巻回するケーブル巻回ステップと、前記ケーブルが巻回された前記ケーブルドラムからなるケーブル巻回済ドラムを、建造物のハッチを通過させて前記建造物の内部スペースに進入させるドラム進入ステップと、前記ドラム進入ステップの後、前記ケーブル巻回済ドラムを前記内部スペース内に設けられたエレベータのカゴの底面部から吊り下げるドラム吊下ステップと、前記ドラム吊下ステップの後、前記カゴを昇降路内を下側に移動させて、前記ケーブル巻回済ドラムを前記昇降路の下側にあるピットまで移動させるドラム移動ステップと、を含む。
【００１９】
本発明によれば、ケーブルを巻回保持するケーブルドラムが本発明のケーブルドラムであるので、ケーブル巻回済ドラムが建造物のハッチを通過し易くなる。
【発明の効果】
【００２０】
本発明のケーブルドラムによれば、ケーブル巻回状態で建造物のハッチを通過し易くなる。
【図面の簡単な説明】
【００２１】
【図１】本発明の一実施形態に係るケーブルドラムの模式正面図である。
【図２】上記ケーブルドラムの第１巻回保持部の正面図と、第１巻回保持部の奥行方向の構造を示す側面図との関係を表す模式図である。
【図３】（ａ）は、図１における連結部周辺の拡大図であり、（ｂ）は、（ａ）を上方から見た時の模式図である。また、（ｃ）は、連結部を（ｂ）に矢印Ｂで示す方向から見たときのＢ矢視図である。
【図４】（ａ）は、連結部において第１巻回保持部に固定される部材を示す模式図であり、（ｂ）は、（ａ）を矢印Ｃで示す方向から見たときのＣ矢視図である。
【図５】支持台の取付構造を側方から見たときの模式図である。
【図６】図２にＲで示す領域の模式拡大図である。
【図７】図１に示すケーブドラムにおいてケーブルをアームで支持する径方向外側部分まで巻回した状態を示す模式正面図である。
【図８】（ａ）は、一例の橋脚の模式平面図であり、（ｂ）は橋脚のハッチの開口形状を示す模式正面図である。
【図９】一本のケーブルをシェアした状態で異なる台車を介して橋脚の歩道上に載置された第１及び第２ケーブルドラムを示す模式正面図である。
【発明を実施するための形態】
【００２２】
以下に、本発明に係る実施の形態について添付図面を参照しながら詳細に説明する。以下において複数の実施形態や変形例などが含まれる場合、それらの特徴部分を適宜に組み合わせて新たな実施形態を構築することは当初から想定されている。また、実施の形態で、鉛直方向に関係する文言、例えば、下方位置、上方位置、鉛直方向、水平方向等が使用された場合、それらの文言は、ケーブルドラム５０が水平面に載置されている状態で表現されたものである。
【００２３】
図１は、本発明の一実施形態に係るケーブルドラム５０の模式正面図である。また、図２は、アーム７０が取り付けられた第１巻回保持部１の正面図と、該アーム７０が取り付けられた第１巻回保持部１の奥行き方向の構造を示す側面図との関係を表す模式図である。なお、図１及び下記の図２〜図５,図７において、Ｘは、一方向としてのケーブルドラム５０の幅方向を示し、Ｙは、ケーブルドラム５０の奥行方向を示す。また、Ｚは、ケーブルドラム５０の高さ方向を示す。
【００２４】
ケーブルドラム５０は、通常金属材料で構成される。図１に示すように、ケーブルドラム５０は、第１巻回保持部１、第２巻回保持部２、連結部３及び支持台４を備える。第１巻回保持部１と、第２巻回保持部２とは、略同一で対をなす。第１巻回保持部１と第２巻回保持部２は、Ｘ方向に間隔を置いた状態で対向している。後に詳述するが、第１巻回保持部１及び第２巻回保持部２の夫々には、ケーブルが巻回される半円柱状の巻き芯１ｄ，２ｄが設けられ、その外周にケーブル巻回面１ｃ,２ｃが設けられる。
【００２５】
連結部３は、第１巻回保持部１と、第２巻回保持部２とを連結している。第１巻回保持部１、第２巻回保持部２及び連結部３は、一体のドラム本体１０を構成する。連結部３には、該連結部３を貫くようにＹ方向に延在する軸部材１５が配置され、連結部３は軸部材１５に対して回転自在に取り付けられている。
【００２６】
連結部３のＹ方向の両側には、軸部材１５において連結部３から突出する一対の突出部１５ａが設けられ、この突出部１５ａが支持台４に取り付けられる。支持台４は、軸部材１５が載置面６７に対してＺ方向に間隔をおいた状態（上方）で軸部材１５を支持する。
【００２７】
軸部材１５に支持台４が取り付けられた状態で、ドラム本体１０は、軸部材１５を回転中心として図１に矢印Ａで示す方向に（Ｘ，Ｚ平面内で）回動可能になっている。ケーブルドラム５０は、回転することによって外部から供給されるケーブルを巻き取ったり、巻回されたケーブルを外部に引き出すことができる。ケーブルドラム５０は、Ｘ方向に離間配置されたケーブル巻回面１ｃ及びケーブル巻回面２ｃにケーブルを交互に巻回し、図７に示すようにＺ方向に複数層からなる１本のケーブルを巻回保持するようになっている。
【００２８】
以下、第１巻回保持部１、連結部３及び支持台４の詳しい説明を行う。先ず、図１及び図２を用いて、第１巻回保持部１の構造について説明する。なお、第２巻回保持部２の構造の説明は、それに類似する第１巻回保持部１の構造の説明をもって省略する。
【００２９】
図２に示すように、第１巻回保持部１は、一対の第１及び第２側方部１ａ,１ｂと、ケーブル巻回面１ｃを有する巻き芯１ｄとを有する。一対の第１側方部１ａ及び第２側方部１ｂは、巻き芯１ｄを挟み込むように巻き芯１ｄの幅方向（Ｙ方向に一致）の両側に配置される。第１側方部１ａは、第２側方部１ｂと略同一であり、略半オーバル形状の平板で構成される。図１に示すように、巻き芯１ｄは、Ｘ方向の外側に凸で、巻き芯のＸ方向の外側面であるケーブル巻回面１ｃは、高さ方向Ｚの下方位置からその下方位置よりも高い上方位置まで湾曲した形状を有し、巻き芯１ｄの内側面は平面になっている。詳しくは、巻き芯１ｄは、円柱をその中心軸を含む平面で切断してなる形状を有し、断面半円状の断面形状を有する。図１に示すように、ケーブル巻回面１ｃの上端とケーブル巻回面１ｃの下端とは、略同じＸ方向位置に存在している。
【００３０】
図２に示すように、第１及び第２側方部１ａ,１ｂは、ケーブル巻回面１ｃよりもケーブル巻回面１ｃの径方向外側まで広がるフランジ構造を有する。第１及び第２側方部１ａ,２ａは、ケーブル巻回面１ｃの幅方向の両側でケーブル巻回面１ｃを覆っている。ケーブルドラム５０が一方向に回転してケーブルの巻回が行われる際、ケーブルは、第１及び第２側方部１ａ,１ｂによってケーブル巻回面１ｃの幅方向（Ｙ方向）の両側から支持される。その結果、ケーブルは、高さ方向Ｚに複数層安定に巻回されることができる。
【００３１】
図１及び図２に示すように、第１及び第２巻回保持部１,２の第１及び第２側方部１ａ，１ｂには、断面半円状の巻き芯１ｄ,２ｄの略径方向に延在するアーム７０が取付可能になっている。アーム７０の取付構造及びアーム７０が必要な理由については、後に図６等を用いて詳述する。
【００３２】
次に、図３及び図４を用いて、連結部３の構造について説明する。図３（ａ）は、図１における連結部３周辺の拡大図であり、図３（ｂ）は、図３（ａ）を上方から見た時の模式図である。また、図３（ｃ）は、連結部３を図３（ｂ）に矢印Ｂで示す方向から見たときの連結部３のＢ矢視図である。また、図４（ａ）は、連結部３において第１巻回保持部１に固定される部材を示す模式図であり、図４（ｂ）は、図４（ａ）を矢印Ｃで示す方向から見たときのＣ矢視図である。
【００３３】
図３（ａ）に示すように、連結部３は、略矩形の平板形状を有する２つの第１延在板３１ａ,３１ｂと、略矩形の平板形状を有する２つの第２延在板３２ａ,３２ｂと、略直方体状のブロック状部材３５とを含む。第１延在板３１ａは上方を第１巻回保持部１から伸び、第１延在板３１ｂは下方を第１巻回保持部１から伸び、第１延在板３１ａはＹ方向手前側、第１延在板３１ｂはＹ方向奥側に位置する。すなわち、第１延在板３１ａ，３１ｂはＸ方向においてほぼ同一の位置に位置するが、Ｚ方向及びＸ方向の位置がずれている。第２延在板３２ａは上方を第２巻回保持部２から伸び、第２延在板３２ｂは下方を第２巻回保持部２から伸び、第２延在板３２ａはＹ方向奥側、第２延在板３２ｂは手前側に位置する。すなわち、第２延在板３２ａ，３２ｂはＸ方向においてほぼ同一の位置に位置するが、Ｚ方向及びＸ方向の位置がずれている。
【００３４】
第１延在板３１ａ，３１ｂの先端部分と、第２延在板３２ａ，３２ｂの先端部分は、Ｘ方向において所定距離だけ重なるようになっており、第１延在板３１ａ，３１ｂ、第２延在板３２ａ，３２ｂの先端部分の間にＹ方向に伸びるブロック状部材３５が固定される。
【００３５】
すなわち、図３（ａ）及び図４（ａ）に示すように、ケーブルドラム５０は、２つの第１延在板３１ａ,３１ｂが第１巻回保持部１から第２巻回保持部２側にＸ方向に突出する第１延在板突出構造を有する。詳しくは、図４（ａ）及び図４（ｂ）に示すように、一方の第１延在板３１ａは、その上端の高さがケーブル巻回面１ｃの上端の高さに略一致した状態で第１側方部１ａからＸ方向に延在する。また、他方の第１延在板３１ｂは、その下端の高さがケーブル巻回面１ｃの下端の高さに略一致した状態で第２側方部１ｂからＸ方向に延在する。また、図４（ａ）に示すように、第１延在板突出構造では、上側の一方の延在板３１ａは、Ｘ方向に間隔をおいて延在する複数の貫通孔３３ａを有し、下側の他方の延在板３１ｂは、Ｘ方向に間隔をおいて延在する複数の貫通孔３３ｂを有する。
【００３６】
これに対し、２つの第２延在板３２ａ,３２ｂが第２巻回保持部２から突出する第２延在板突出構造は、上述の第１突出板延在構造との比較で、上側の第２延在板３２ａ（図３（ａ）参照）が第２巻回保持部２の第２側方部から第１巻回保持部１側にＸ方向に延在する一方、下側の第２延在板３２ｂが第２巻回保持部２の第１側方部２ａから第１巻回保持部１側にＸ方向に延在する点が異なる。第２延在板突出構造の詳しい説明は、それに類似する第１延在板突出構造の説明をもって省略する。
【００３７】
図３（ａ）を参照して、ブロック状部材３５には、第１延在板固定用の２つの第１タップ孔（図示せず）及び第２延在板固定用の２つの第２タップ孔（図示せず）が設けられる。各第１延在板３１ａ,３１ｂのいずれかの貫通孔３３ａ,３３ｂに第１ねじ部材３８を挿通した後に第１ねじ部材３８の軸部を第１タップ孔に締め込むことによって、各第１延在板３１ａ,３１ｂをブロック状部材３５に固定する。また、各第２延在板３２ａ,３２ｂのいずれかの貫通孔３４ａ,３４ｂに第２ねじ部材３９を挿通した後に第２ねじ部材３９の軸部を第２タップ孔に締め込むことによって、各第２延在板３２ａ,３２ｂをブロック状部材３５に固定する。
【００３８】
係る連結部３の構成により、第１ねじ部材３８を挿通させる第１延在板３１ａ,３１ｂの貫通孔３３ａ,３３ｂと、第２ねじ部材３９を挿通させる第２延在板３２ａ,３２ｂの貫通孔３４ａ,３４ｂとのうちの少なくとも一方を変えるだけで、連結部３のＸ方向の長さを変えることができる。第１ねじ部材３８は、第１締結部材を構成し、第２ねじ部材３９は、第２締結部材を構成する。
【００３９】
なお、第１及び第２延在板３１ａ,３１ｂ,３２ａ,３２ｂの両方がＸ方向に間隔をおいて配置される複数の貫通孔３３ａ,３３ｂ,３４ａ,３４ｂを有して、連結部３のＸ方向長さを変更可能な場合について説明した。しかし、第１及び第２延在板のうちの一方の貫通孔が１つのみであっても、他方がＸ方向に間隔をおいて配置される複数の貫通孔を有していれば、連結部のＸ方向長さを変更可能とできることは言うまでもない。また、連結部は、例えば、突っ張り棒の伸縮機構と同一の機構によってＸ方向に伸縮可能であってもよい。また、連結部は、Ｘ方向に伸縮不可能でもよい。
【００４０】
図３（ａ）に示すように、ブロック状部材３５が第１及び第２巻回保持部１,２に固定された状態で、ブロック状部材３５は、第１及び第２ケーブル巻回面１ｃ,２ｃと略同じ高さを有し、かつ第１及び第２ケーブル巻回面１ｃ,２ｃと略同じ高さ位置に配置される。また、図３（ｂ）に示すように、ブロック状部材３５は第１及び第２巻回保持部１,２と略同一のＹ方向長さを有する。係るブロック状部材３５の構成は、第１ケーブル巻回面１ｃの上端から第２ケーブル巻回面２ｃの上端まで張力によってＸ方向に延在するケーブルを、第１巻回保持部１と第２巻回保持部２の略中間に設けられたブロック状部材３５の上面で支持することを可能にする。このことから、ケーブルが第１巻回保持部１と第２巻回保持部２との間で緩んで撓むことが抑制される。
【００４１】
次に、図１及び図５を用いて、支持台４の取付構造について説明する。図５は、支持台４の取付構造をＸ方向の外方から見たときの模式図である。
【００４２】
図１及び図５を参照して、支持台４の取付構造（以下、単に取付構造という）は、一方側取付構造５８、他方側取付構造及び２つの架橋補強部５５を有する。一方側取付構造５８は、ドラム本体１０のＹ方向の一方側に設けられ、他方側取付構造は、ドラム本体１０のＹ方向の他方側に設けられる。他方側取付構造は、一方側取付構造５８と略同一の構成を有し、Ｙ方向から見たとき一方側取付構造５８に略重なる。以下では、一方側取付構造５８の構成のみを説明し、一方側取付構造５８と類似の構成を有する他方側取付構造については説明を省略する。
【００４３】
図１に示すように、一方側取付構造５８は、軸支持部材４１と、２つのＬ型アングル４２ａ,４２ｂと、土台部材４３とを有する。図５に示すように、各Ｌ型アングル４２ａ,４２ｂは、軸支持部材４１においてＹ方向の端にある端面に締結部材４７によって固定される。詳しくは、各Ｌ型アングル４２ａ,４２ｂには、軸支持部材４１側の端部にＬ字状でなくて平面状の取付部が設けられる。一方のＬ型アングル４２ａの取付部と他方のＬ型アングル４２ｂの取付部とをＹ方向に重ね、各取付部に設けられた１つの取付孔を用いて２つのＬ型アングル４２ａ,４２ｂを１つの締結部材４７で同時に軸支持部材４１の端面に固定している。この例では、締結部材４７がボルト４７ａとナット４７ｂで構成されるが、他の種類の締結部材、例えばタッピングネジが用いられてもよい。
【００４４】
図１に示すように、当該固定状態で一方のＬ型アングル４２ａと他方のＬ型アングル４２ｂとは角度θをなした状態で交差している。また、図５を参照して、各Ｌ型アングル４２ａ,４２ｂは、２つのＬ型アングル部品で構成される。以下、Ｌ型アングル４２ａを例に説明を行い、Ｌ型アングル４２ｂの説明は、それと類似の構造を有するＬ型アングル４２ａの説明をもって省略する。Ｌ型アングル４２ａは、上述の取付部を有する上側部品４２ａ‐１と、それに組み合わされる下側部品４２ａ‐２とで構成される。上側及び下側部品４２ａ‐１,４２ａ‐２の夫々は、Ｘ方向に向いた側面にＺ方向に間隔をおいて配置される複数の貫通孔４５ａ‐１,４５ａ‐２を有する。上側部品４２ａ‐１のいずれかの貫通孔４５ａ‐１に下側部品４２ａ‐２のいずれかの貫通孔４５ａ‐２が重なっている状態で上側部品４２ａ‐１と下側部品４２ａ‐２とを締結部材４８で固定するようになっている。締結部材４８としては、ボルト及びナットを好適に採用できる。締結部材４８が挿通される上側及び下側部品４２ａ‐１,４２ａ‐２の貫通孔の少なくとも一方を変えることによって、Ｌ型アングル４２ａの高さを適宜変更させることができるようになっている。
【００４５】
なお、上側及び下側部品４２ａ‐１,４２ａ‐２の夫々が、Ｘ方向に向いた側面にＺ方向に間隔をおいて配置される複数の貫通孔を有する場合について説明した。しかし、上側部品と下側部品とのうちの一方が１つのみの貫通孔しか有しない場合であっても、他方がＸ方向に向いた側面にＺ方向に間隔をおいて配置される複数の貫通孔を有していれば、支持台の高さを変更させることができる。また、各Ｌ型アングル４２ａ,４２ｂを２つの上側及び下側部品４２ａ‐１,４２ａ‐２で構成して、支持台４の高さが変更可能である場合について説明したが、各Ｌ型アングルが１つの部材のみで構成されて、支持台の高さが変更不可能でもよい。なお、連結部３のブロック状部材３５はその中心部分にＹ方向に延在する貫通孔を有し、この貫通項に軸部材１５が挿通される。
【００４６】
図１及び図５を参照して、支持台４について説明する。支持台４は、下部が床面などの載置面上に固定され、上端において軸部材１５を保持することで、連結部３、第１巻回保持部１、第２巻回保持部２を軸部材１５を中心として回動自在に保持する。各Ｌ型アングル４２ａ,４２ｂの下側部品４２ａ‐２,４２ｂ‐２は、土台部材４３においてＸ方向に延在する柱部４３ａの両端部に設けられたブロック状の取付部４３ｂに締結部材４６で固定されている。
【００４７】
係る支持台４の構成によれば、２つのＬ型アングル４２ａ,４２ｂがなす角度θを調整できるので、支持台４の高さを変更させても、Ｌ型アングル４２ａ,４２ｂをＸ方向の長さが不変の柱部４３ａに固定できる。よって、支持台４を広範な仕様のドラム１０本体に適用できて、支持台４が汎用性に優れたものになる。
【００４８】
更に、支持台４の取付構造に対する説明を続けると、連結部３のブロック状部材３５はＹ方向に延在する貫通孔を有する。軸部材１５は、この貫通孔の内面に図示しない転がり軸受やすべり軸受を介してブロック状部材３５に対して回動自在に取り付けられる。軸部材１５は、連結部３のＹ方向の両側から突出している。図１及び図５に示すように、軸部材１５において連結部３から突出している突出部１５ａは、Ｕ字ボルト５３とナット５４で軸支持部材４１に固定される。その結果、軸部材１５が軸支持部材４１によって下側から支持され、ドラム本体１０が矢印Ａに回転可能な状態が維持される。
【００４９】
図５を参照して、支持台４の２つの架橋補強部５５はＹ方向に延在する。２つの架橋補強部５５はＸ方向に間隔をおいた状態で略平行に配置される。一方の架橋補強部５５は、溶接や締結部材等によって、そのＹ方向の一端部が一方側取付構造５８の柱部４３ａにおけるＸ方向の一端部に固定され、Ｙ方向の他端部が他方側取付構造の柱部におけるＸ方向の一端部に固定されている。また、他方の架橋補強部５５は、溶接や締結部材等によって、そのＹ方向の一端部が一方側取付構造５８の柱部４３ａにおけるＸ方向の他端部に固定され、Ｙ方向の他端部が他方側取付構造の柱部におけるＸ方向の他端部に固定されている。Ｘ方向の両側で一方側取付構造５８と他方側取付部材とを架橋補強部５５でＹ方向に連結することによって、支持台４の剛性（強度）を大きくしている。
【００５０】
再度、図１及び図２を参照して、ケーブルドラム５０には、複数のアーム７０が取付可能になっている。詳しくは、第１及び第２巻回保持部１,２の夫々の第１及び第２側方部１ａ,１ｂ,２ａにおけるＹ方向の外側面には、ケーブル巻回面１ｃ,２ｃの周方向に互いに間隔をおいて配置された複数のアーム７０が締結部材７５で取り付けられている。各アーム７０は、第１及び第２側方部１ａ,１ｂ,２ａからケーブル巻回面１ｃ,２ｃの径方向外方に突出している。Ｙ方向から見たとき、各巻回保持部１,２の第１側方部１ａ,２ａに取り付けられた複数のアーム７０は第２側方部１ｂに取り付けられた複数のアーム７０に重なる。
【００５１】
ケーブル巻回面１ｃ,２ｃの幅方向両側に設けられる複数のアーム７０は、第１及び第２側方部１ａ,１ｂ,２ａよりも径方向の外方側に位置するケーブルを挟み込んで支えるために設けられる。アーム７０でケーブルを第１及び第２側方部１ａ,１ｂ,２ａよりも径方向の外方側にも巻回できるようにし、巻回可能なケーブルの長さを長くしている。
【００５２】
図６は、図２にＲで示す領域の模式拡大図である。図６に示すように、アーム７０は、皿ボルト７５ａとナット７５ｂにより第１及び第２巻回保持部１,２の第１及び第２側方部１ａ,１ｂ,２ａに固定されている。図２及び図６を参照して、アーム７０において第１及び第２側方部１ａ,１ｂ,２ａから突出する突出部の幅方向内側には、第１及び第２側方部１ａ,１ｂ,２ａと略同じ厚さを有する板部材７７が取り付けられる。よって、第１及び第２側方部１ａ,１ｂ,２ａによってケーブルのＹ方向の移動を規制する箇所の内幅が、Ｙ方向に対向する一対のアーム７０によってケーブルのＹ方向の移動を規制する箇所の内幅と略一致する。その結果、Ｚ方向に複数層巻回されるケーブルがアーム７０で支持される箇所で巻き乱れることが抑制される。
【００５３】
ケーブルドラム５０は以上の構成を有する。以下、主に図７〜図９を用いて、ケーブルを橋脚に設けられたエレベータに設置する手順について説明する。なお、本実施形態では、ケーブルを設置するエレベータが橋脚内に設けられる場合について説明するが、ケーブルを設置するエレベータは、橋脚以外の建造物、例えば、コンビナート内に設けられた施設や採掘場に設けられた施設等に設けられてもよい。
【００５４】
先ず、一本のケーブルの一端部を図１に示すケーブルドラム５０の第１巻回保持部１のケーブル巻回面１ｃに固定した後、ケーブルドラム５０を矢印Ａに複数回回転させる。そして、図７に示すように、一本のケーブル８０をケーブルドラム５０におけるアーム７０に支持される径方向外側部分まで巻回させて、一本のケーブル８０を１つのケーブルドラム５０のみで巻回保持する。なお、ケーブルドラム５０の回転は、軸部材１５の一端をモータの回転軸に連結し、モータを回転することなどによって行うが、ハンドルを人手で回転するなどの手段でもよい。
【００５５】
続いて、一本のケーブル８０を巻回保持している第１ケーブルドラム５０とは別に、第１ケーブルドラム５０と同じ構造及び大きさの第２ケーブルドラム５０を用意する。そして、第２ケーブルドラム５０を支持台４が取り付けられてドラム本体１０が回転可能な状態にする。その後、第１ケーブルドラム５０の径方向外側にあるケーブルの他端部を第２ケーブルドラム５０の第２巻回保持部２のケーブル巻回面２ｃに固定した後、第１及び第２ケーブルドラム５０,５０を同じ方向に所定回数回転させる。そして、一本のケーブル８０を第１及び第２ケーブルドラム５０に略均等に巻回保持させる。
【００５６】
その状態で、各ケーブルドラム５０が巻回保持するケーブル８０部分の長さは、一本のケーブル８０の半分程度になる。結果として、各ケーブルドラム５０に巻回保持されるケーブル８０の全ての部分は、第１及び第２側方部１ａ,１ｂ,２ａのみでＹ方向にサポートされ、アーム７０でサポートされることがなくなる。
【００５７】
その後、全てのアーム７０が第１及び第２ケーブルドラム５０,５０から取り外された後、第１及び第２ケーブルドラム５０,５０は、クレーンや車両等を用いて図８（ａ）に模式平面図が示される橋脚９０のハッチ９６周辺の歩道９２まで運搬される。なお、この運搬時において、第１及び第２ケーブルドラム５０,５０を図示しない結束部材で一体不可分に結束すると、運搬が容易となって好ましいが、第１及び第２ケーブルドラム５０,５０は、必ずしも運搬時に結束される必要はない。
【００５８】
続いて、図９に示すように、一本のケーブル８０をシェアしている第１及び第２ケーブルドラム５０,５０を異なる台車７９,７９を介して歩道９２上に載置する。その後、歩道９２上に配置された一方のケーブルドラム５０を、歩道側扉９３（図８（ａ）参照）、通常一般人が立ち入り禁止になっている立入禁止区域９４及びハッチ９６を経由させて、橋脚外部から橋脚内スペース９７まで運搬し、続いて他方のケーブルドラム５０を、歩道側扉９３、立入禁止区域９４及びハッチ９６を経由させて、橋脚外部から橋脚内スペース９７まで運搬する。
【００５９】
その後、第１及び第２ケーブルドラム５０,５０は、２つ同時に橋脚内スペース９７に設けられたエレベータ９８のカゴに乗せられ、カゴに乗せされた状態で最下階まで移動させられ、最下階の乗場に配置される。続いて、片方のケーブルドラム５０をカゴの底面に吊下げた後、カゴを降下させて、その一方のケーブルドラム５０をカゴの昇降路下方にあるピットに配置する。この状態で、一方のケーブルドラム５０はピットに配置され、他方のケーブルドラム５０は最下階の乗場に配置される。
【００６０】
続いて、ピットに配置された片方のケーブルドラム５０を支持台４及び複数のアーム７０が取り付けられた図１に示す状態にする。他方、最下階の乗場に配置された他方のケーブルドラム５０を支持台が４を取り付けられた状態にし、ドラム本体１０が回転可能な状態にする。
【００６１】
その後、第１及び第２ケーブルドラム５０,５０を同じ方向に回転させて、最下階の乗場に配置されたケーブルドラム５０からピットに配置されたケーブルドラム５０にケーブル８０を送り、全てのケーブル８０をピットに配置されたケーブルドラム５０に巻き直す。この状態で、ケーブル８０はアーム７０にサポートされる部分まで巻かれ、ピット上のケーブルドラム５０は図７に示す状態になる。また、この状態でケーブル８０の一端部が橋脚内スペース９７に露出した状態になる。
【００６２】
続いて、この橋脚内スペース９７に露出しているケーブル８０の一端部をカゴの所定箇所に接続した後、カゴを上昇させることによってピット上のケーブルドラム５０を回転させて該ケーブルドラム５０からケーブル８０を上側に送り出す。そして、このケーブル８０の上側への送り出しによって、該ケーブルドラム５０の最内方に位置するケーブル８０の他端部を橋脚内スペース９７に露出させる。その後、ケーブル８０の他端部をピットに設けられた制御盤の所定箇所に接続することによって、ケーブル８０のエレベータ９８への設置が終了する。
【００６３】
上記実施形態によれば、連結部３によってケーブル８０がＸ方向に離間されて対向する第１巻回保持部１と第２巻回保持部２との間を略直線形状で延在することが可能になる。したがって、ケーブル８０の全てが円筒面の巻回保持部に巻回される場合と比較して、第１及び第２巻回保持部１,２で巻回保持するケーブル部分を、ケーブル８０において略直線状に延在している部分だけ短くできる。よって、ケーブル８０が巻回保持されたケーブルドラム５０の高さを低くできる。その結果、橋脚９０のハッチ９６の高さｈ（図８（ｂ）参照）が低い場合であっても、ケーブル巻回済のケーブルドラム５０がハッチ９６を通過し易くなる。
【００６４】
また、この実施形態によれば、連結部３のＸ方向の長さを適宜変更させることができ、ケーブル８０において略直線状に延在する部分の長さを適宜調整できる。よって、ケーブル巻回済のケーブルドラム５０の高さを適宜調整できるので、ケーブル巻回済のケーブルドラム５０がハッチ９６を更に通過し易くなる。
【００６５】
更には、第１及び第２巻回保持部１,２の第１及び第２側方部１ａ,１ｂ,２ａに、ケーブル巻回面１ｃ,２ｃの周方向に互いに間隔をおいて配置されると共にケーブル巻回面１ｃ,２ｃの略径方向に突出する複数のアーム７０を取り付けできる。したがって、ケーブル巻回面１ｃ,２ｃの両側に設けられた複数のアーム７０で第１及び第２側方部１ａ,１ｂ,２ａよりも径方向の外方側に位置するケーブル８０を挟み込んで支えることができる。よって、第１及び第２側方部１ａ,１ｂ,２ａよりも径方向の外方側にもケーブル８０を巻回でき、巻回可能なケーブル８０の長さを長くできる。その結果、ケーブル８０の長さが非常に長くて、橋脚９０のハッチ９６の高さ上の制限からケーブル８０を２つのケーブルドラム５０に分配してハッチ９６を通過させなければならない場合であっても、２つのケーブルドラム５０がハッチ９６を通過した後に全てのケーブル８０を一方のケーブルドラム５０のみに巻き直すことができる。それで、ケーブル８０が２つのケーブルドラム５０に巻回されている状態では外部に露出していないケーブル８０の両端部のうちの一方を外部に露出させることができ、この外部に露出した端部をエレベータのカゴにおける所定の箇所に接続できる。
【００６６】
尚、本発明は、上記実施形態およびその変形例に限定されるものではなく、本願の特許請求の範囲に記載された事項およびその均等な範囲において種々の改良や変更が可能である。
【００６７】
例えば、上記実施形態では、ケーブル巻回面１ｃ,２ｃが、半円状の断面形状を有する場合について説明したが、ケーブル巻回面は、Ｘ方向の外側に凸でＺ方向の下方位置から上方位置まで湾曲している形状であればよく、半楕円の断面形状、放物線の一部からなる断面形状、又は双曲線の一部からなる断面形状等を有してもよい。
【００６８】
また、橋脚９０のハッチ９６を通過した第１及び第２ケーブルドラム５０をエレベータ９８のカゴに載せて一旦最下階の乗場まで運搬する場合について説明した。しかし、第１及び第２ケーブルドラムをエレベータのカゴに収容できない場合、橋脚のハッチを通過した第１及び第２ケーブルドラムの一方をハッチが設けられた階の乗場でカゴの底面に吊下げて昇降路下方のピットまで運搬してもよい。そして、ハッチが設けられた階の乗場に配置された他方のケーブルドラムからピットに配置された一方のケーブルドラムにケーブルを送ってもよい。
【００６９】
また、ケーブル８０を２つのケーブルドラム５０でシェアした状態で橋脚９０のハッチ９６を通過させる場合について説明した。しかし、ケーブルの長さが短い場合、ケーブルをアームが取り付けられていない１つのケーブルドラムに巻回保持した状態で、ケーブル巻回済のケーブルドラムを橋脚のハッチを通過させてもよい。この場合、ケーブルドラムにアームが取り付けられない構成でもよい。また、ケーブルドラムは支持台が取り付けられない構成でもよい。
【符号の説明】
【００７０】
１  第１巻回保持部、  １ａ,  ２ａ  第１側方部、  １ｂ  第２側方部、  １ｃ,  ２ｃ  ケーブル巻回面、  ２  第２巻回保持部、  ３  連結部、  ４  支持台、  １０  ドラム本体、  １５  軸部材、  ３１ａ,  ３１ｂ  第１延在板、  ３２ａ,  ３２ｂ  第２延在板、  ３３ａ,  ３３ｂ  第１延在板の貫通孔、  ３４ａ,  ３４ｂ  第２延在板の貫通孔、  ３５  ブロック状部材、  ３８  第１ねじ部材、  ３９  第２ねじ部材、  ５０  ケーブルドラム、  ６７  載置面、  ７０  アーム、  ８０  ケーブル、  ９０  橋脚、  ９６  ハッチ、  ９７  橋脚内スペース  ９８  エレベータ。
【図１】
0006710069.tif 000002
【図２】
0006710069.tif 000003
【図３】
0006710069.tif 000004
【図４】
0006710069.tif 000005
【図５】
0006710069.tif 000006
【図６】
0006710069.tif 000007
【図７】
0006710069.tif 000008
【図８】
0006710069.tif 000009
【図９】
0006710069.tif 000010